(57)【特許請求の範囲】
【請求項１】
デジタルクーリング装置とデジタルクーリング制御装置とから構成されていて、
前記デジタルクーリング装置は、
圧縮機を備えている冷凍サイクル装置の室外機における空気吸入部の外側に配備されていて、前記室外機の外側の大気である外気を前記空気吸入部の側に向けて送ることで前記空気吸入部に向かう方向の前記外気の空気流を生じさせる送風ファンと、
前記空気流の方向に直交する方向である上側から下側に向かって上下方向に水分が流下すると共に、前記送風ファンから送られてきた前記空気流が前記空気吸入部の方向に向けて通過できる散水冷却マットと、
前記空気吸入部の方向に向かう前記空気流の進行方向に調整を与える風向調整パネルと、
前記送風ファンと前記空気吸入部との間に配置されているデジタル風速計と、
前記デジタル風速計が前記送風ファンと前記空気吸入部との間で配置されている位置に配置されるデジタル湿度計と
を備えていて、
前記散水冷却マット、前記風向調整パネル、前記デジタル風速計が、前記送風ファンと前記空気吸入部との間で、前記送風ファンの位置から前記空気吸入部の位置に向けて前記散水冷却マット、前記風向調整パネル、前記デジタル風速計の順で配備されている、あるいは、前記風向調整パネル、前記散水冷却マット、前記デジタル風速計の順で配備されている
デジタルクーリング装置であり、
前記デジタルクーリング制御装置は、
前記冷凍サイクル装置の使用電力量を通知する使用電力量デジタル信号に基づいて当該使用電力量デジタル信号を送出してきた前記冷凍サイクル装置の稼働係数を算定する冷凍サイクル装置稼働係数算定手段と、
算定された前記冷凍サイクル装置の前記稼働係数が所定の稼働係数値になったとき又は前記室外機の外部に設置されているデジタル外気温度センサーからデジタル情報で取得した外気温が所定の外気温度値になったときに前記散水冷却マットに対する給水開始または給水停止の給水制御を行う給水制御手段と、
算定された前記冷凍サイクル装置の前記稼働係数が所定の稼働係数値になったとき又は前記室外機の外部に設置されている外気温度センサーからデジタル情報で取得した外気温が所定の外気温度値になったときに前記送風ファンを稼働させて前記空気吸入部に向かう方向の前記空気流を生じさせる又は前記送風ファンの稼働を停止させる送風制御を行う送風制御手段と、
前記送風ファンが稼働している間に前記デジタル風速計から取得した風速が所定の風速値になったときに、前記送風ファンが稼働している前記室外機が接続されている前記冷凍サイクル装置を管理している管理者が使用している管理者端末及び、前記送風ファンが稼働している前記室外機が接続されている前記冷凍サイクル装置の管理を担当している担当者が所有している担当者端末に対して、有線又は無線のネットワークを介して、前記室外機を特定する情報と共に、前記散水冷却マットの交換を促す交換通知情報を出力するマット交換通知情報出力手段とを備えていて、
前記給水制御手段は、前記デジタル湿度計からデジタル情報で取得した湿度情報に応じて前記給水制御を行い、
前記送風制御手段は、前記デジタル湿度計からデジタル情報で取得した湿度情報に応じて前記送風制御を行う
デジタル・クーリングコントロール・システム。
【請求項２】
前記デジタルクーリング装置は、前記圧縮機から吹き出される冷媒の温度を検知する吹き出し温度センサを更に備えており、
前記給水制御手段は、前記吹き出し温度センサーからデジタル情報で取得した、前記圧縮機から吹き出される前記冷媒の温度に応じて前記給水制御を行い、
前記送風制御手段は、前記吹き出し温度センサーからデジタル情報で取得した、前記圧縮機から吹き出される前記冷媒の温度に応じて前記送風制御を行う請求項１記載のデジタル・クーリングコントロール・システム。
【請求項３】
前記デジタルクーリング装置は、前記室外機の外側における降雨状態を検知する雨センサーを更に備えており、
前記給水制御手段は、前記雨センサーからデジタル情報で取得した降雨情報に応じて前記給水制御を行い、
前記送風制御手段は、前記雨センサーからデジタル情報で取得した降雨情報に応じて前記送風制御を行う請求項１又は２記載のデジタル・クーリングコントロール・システム。
【請求項４】
前記デジタルクーリング制御装置は、冷凍サイクル装置稼働係数算定手段が算定した前記冷凍サイクル装置の前記稼働係数を、前記稼働係数が算定された前記冷凍サイクル装置を管理している管理者が使用している前記管理者端末及び、前記稼働係数が算定された前記冷凍サイクル装置の管理を担当している担当者が所有している前記担当者端末に対して、有線又は無線の前記ネットワークを介して、前記冷凍サイクル装置を特定する情報と共に、稼働係数通知情報を出力する稼働係数通知情報出力手段を更に備えている請求項１〜請求項３のいずれか一項に記載のデジタル・クーリングコントロール・システム。
【請求項５】
前記デジタルクーリング装置は、前記散水冷却マットに給水される水の量を検知する給水量検知センサーを更に備えており、
前記デジタルクーリング制御装置は、前記給水量検知センサーからデジタル情報で取得した給水量情報を、給水が行われている前記散水冷却マットが配備されている前記室外機が接続されている前記冷凍サイクル装置を管理している管理者が使用している前記管理者端末及び、給水が行われている前記散水冷却マットが配備されている前記室外機が接続されている前記冷凍サイクル装置の管理を担当している担当者が所有している前記担当者端末に対して、有線又は無線の前記ネットワークを介して、前記冷凍サイクル装置を特定する情報と共に、給水量情報を出力する給水量情報出力手段を更に備えている請求項１〜請求項４のいずれか一項に記載のデジタル・クーリングコントロール・システム。
【請求項６】
前記風向調整パネルは、前記送風ファンの側に位置して前記空気流の方向に直交する方向である水平方向に延びる風受け板と、前記空気吸入部の側に位置して前記空気流の方向に直交する方向である水平方向に延びる風送り板とからなり、前記風受け板は前記送風ファンの側の下端縁から前記空気吸入部の側の上端縁に向かって斜め方向に延び、前記風送り板は前記送風ファンの側の上端縁から前記空気吸入部の側の下端縁に向かって斜め方向に延び、前記風受け板の上端縁と、前記風送り板の上端縁とが前記空気流の方向に直交する方向である水平方向に延びるパネル支持軸によって支持されて連続し、前記パネル支持軸がその軸心を中心として回動することで、前記風受け板と前記風送り板とが両者の間に形成されている角度を保ったまま前記風向調整パネルが前記パネル支持軸を中心とする円周方向への回転角度を変更可能になっている請求項１〜請求項５のいずれか一項に記載のデジタル・クーリングコントロール・システム。
【請求項７】
前記風向調整パネルは、前記パネル支持軸が、前記上下方向に所定の間隔をあけて複数本配備されている前記上下方向で複数個配備されているものである請求項６記載のデジタル・クーリングコントロール・システム。
【請求項８】
前記風向調整パネルは、前記送風ファンと前記空気吸入部との間で、前記送風ファンの位置から前記空気吸入部の位置に向けて複数列配備されており、各列における前記パネル支持軸の前記上下方向の位置が異なっている請求項７記載のデジタル・クーリングコントロール・システム。
【請求項９】
前記風向調整パネルは、前記上下方向に伸びる板状体からなり、当該板状体の前記上下方向に伸びる２つの側縁の中心側が、前記上下方向に伸びるパネル支持軸によって支持され、前記パネル支持軸がその軸心を中心として回動することで、前記板状体が前記パネル支持軸を中心とする円周方向への回転角度を変更可能になっている請求項１〜請求項５のいずれか一項に記載のデジタル・クーリングコントロール・システム。
【請求項１０】
前記風向調整パネルは、前記パネル支持軸が、前記空気流の方向に直交する方向である水平方向に所定の間隔をあけて複数本配備されている前記水平方向で複数個配備されているものである請求項９記載のデジタル・クーリングコントロール・システム。
【請求項１１】
前記風向調整パネルは、前記送風ファンと前記空気吸入部との間で、前記送風ファンの位置から前記空気吸入部の位置に向けて複数列配備されており、各列における前記パネル支持軸の前記水平方向の位置が異なっている請求項１０記載のデジタル・クーリングコントロール・システム。
【請求項１２】
前記パネル支持軸はその軸心を中心とした前記円周方向への回転角度を所定の回転角度に設定可能である請求項６乃至請求項１１のいずれか一項に記載のデジタル・クーリングコントロール・システム。
【発明の詳細な説明】
【技術分野】
【０００１】
この発明は、空気調和装置、冷凍装置、冷蔵装置、冷凍庫、冷蔵庫、自動販売機などの冷凍サイクル装置、特に、圧縮機を備えている室外機を構成要素に含む冷凍サイクル装置の省エネルギー運転に貢献するデジタル・クーリングコントロール・システムに関する。
【背景技術】
【０００２】
空調機の冷却効率を上げて消費電力量の低減、省エネルギー運転を行おうとする制御システム等に関しては従来から種々の提案が行われている。【０００３】
例えば、特許文献１、２には、空調機の室外機における空気吸入部の外側に保水部材を設置し、空気吸入部に吸引される外気の温度を低下させることで消費電力量の低減、省エネルギー運転を行おうとする提案が行われている。
【先行技術文献】
【特許文献】
【０００４】
【特許文献１】特許第５１８９６９７号公報
【特許文献２】特許第６４２５１０９号公報
【発明の概要】
【発明が解決しようとする課題】
【０００５】
この発明は、空気調和装置、冷凍装置、冷蔵装置、冷凍庫、冷蔵庫、自動販売機などの冷凍サイクル装置、特に、圧縮機を備えている室外機を構成要素に含む冷凍サイクル装置の運転において大幅な省エネ効果を発揮できるシステムを提案することを目的にしている。
【課題を解決するための手段】
【０００６】
[１]
デジタルクーリング装置とデジタルクーリング制御装置とから構成されていて、
前記デジタルクーリング装置は、
圧縮機を備えている冷凍サイクル装置の室外機における空気吸入部の外側に配備されていて、前記室外機の外側の大気である外気を前記空気吸入部の側に向けて送ることで前記空気吸入部に向かう方向の前記外気の空気流を生じさせる送風ファンと、
前記空気流の方向に直交する方向である上側から下側に向かって上下方向に水分が流下すると共に、前記送風ファンから送られてきた前記空気流が前記空気吸入部の方向に向けて通過できる散水冷却マットと、
前記空気吸入部の方向に向かう前記空気流の進行方向に調整を与える風向調整パネルと、
前記送風ファンと前記空気吸入部との間に配置されているデジタル風速計と、
前記デジタル風速計が前記送風ファンと前記空気吸入部との間で配置されている位置に配置されるデジタル湿度計と
を備えていて、
前記散水冷却マット、前記風向調整パネル、前記デジタル風速計が、前記送風ファンと前記空気吸入部との間で、前記送風ファンの位置から前記空気吸入部の位置に向けて前記散水冷却マット、前記風向調整パネル、前記デジタル風速計の順で配備されている、あるいは、前記風向調整パネル、前記散水冷却マット、前記デジタル風速計の順で配備されている
デジタルクーリング装置であり、
前記デジタルクーリング制御装置は、
前記冷凍サイクル装置の使用電力量を通知する使用電力量デジタル信号に基づいて当該使用電力量デジタル信号を送出してきた前記冷凍サイクル装置の稼働係数を算定する冷凍サイクル装置稼働係数算定手段と、
算定された前記冷凍サイクル装置の前記稼働係数が所定の稼働係数値になったとき又は前記室外機の外部に設置されているデジタル外気温度センサーからデジタル情報で取得した外気温が所定の外気温度値になったときに前記散水冷却マットに対する給水開始または給水停止の給水制御を行う給水制御手段と、
算定された前記冷凍サイクル装置の前記稼働係数が所定の稼働係数値になったとき又は前記室外機の外部に設置されている外気温度センサーからデジタル情報で取得した外気温が所定の外気温度値になったときに前記送風ファンを稼働させて前記空気吸入部に向かう方向の前記空気流を生じさせる又は前記送風ファンの稼働を停止させる送風制御を行う送風制御手段と、
前記送風ファンが稼働している間に前記デジタル風速計から取得した風速が所定の風速値になったときに、前記送風ファンが稼働している前記室外機が接続されている前記冷凍サイクル装置を管理している管理者が使用している管理者端末及び、前記送風ファンが稼働している前記室外機が接続されている前記冷凍サイクル装置の管理を担当している担当者が所有している担当者端末に対して、有線又は無線のネットワークを介して、前記室外機を特定する情報と共に、前記散水冷却マットの交換を促す交換通知情報を出力するマット交換通知情報出力手段とを備えていて、
前記給水制御手段は、前記デジタル湿度計からデジタル情報で取得した湿度情報に応じて前記給水制御を行い、
前記送風制御手段は、前記デジタル湿度計からデジタル情報で取得した湿度情報に応じて前記送風制御を行う
デジタル・クーリングコントロール・システム。【０００７】
[２]
前記デジタルクーリング装置は、前記圧縮機から吹き出される冷媒の温度を検知する吹き出し温度センサを更に備えており、
前記給水制御手段は、前記吹き出し温度センサーからデジタル情報で取得した、前記圧縮機から吹き出される前記冷媒の温度に応じて前記給水制御を行い、
前記送風制御手段は、前記吹き出し温度センサーからデジタル情報で取得した、前記圧縮機から吹き出される前記冷媒の温度に応じて前記送風制御を行う[１]のデジタル・クーリングコントロール・システム。【０００８】
[３]
前記デジタルクーリング装置は、前記室外機の外側における降雨状態を検知する雨センサーを更に備えており、
前記給水制御手段は、前記雨センサーからデジタル情報で取得した降雨情報に応じて前記給水制御を行い、
前記送風制御手段は、前記雨センサーからデジタル情報で取得した降雨情報に応じて前記送風制御を行う[１]又は[２]のデジタル・クーリングコントロール・システム。【０００９】
[４]
前記デジタルクーリング制御装置は、冷凍サイクル装置稼働係数算定手段が算定した前記冷凍サイクル装置の前記稼働係数を、前記稼働係数が算定された前記冷凍サイクル装置を管理している管理者が使用している前記管理者端末及び、前記稼働係数が算定された前記冷凍サイクル装置の管理を担当している担当者が所有している前記担当者端末に対して、有線又は無線の前記ネットワークを介して、前記冷凍サイクル装置を特定する情報と共に、稼働係数通知情報を出力する稼働係数通知情報出力手段を更に備えている[１]〜[３]のいずれかのデジタル・クーリングコントロール・システム。【００１０】
[５]
前記デジタルクーリング装置は、前記散水冷却マットに給水される水の量を検知する給水量検知センサーを更に備えており、
前記デジタルクーリング制御装置は、前記給水量検知センサーからデジタル情報で取得した給水量情報を、給水が行われている前記散水冷却マットが配備されている前記室外機が接続されている前記冷凍サイクル装置を管理している管理者が使用している前記管理者端末及び、給水が行われている前記散水冷却マットが配備されている前記室外機が接続されている前記冷凍サイクル装置の管理を担当している担当者が所有している前記担当者端末に対して、有線又は無線の前記ネットワークを介して、前記冷凍サイクル装置を特定する情報と共に、給水量情報を出力する給水量情報出力手段を更に備えている[１]〜[４]のいずれかのデジタル・クーリングコントロール・システム。【００１１】
[６]
前記風向調整パネルは、前記送風ファンの側に位置して前記空気流の方向に直交する方向である水平方向に延びる風受け板と、前記空気吸入部の側に位置して前記空気流の方向に直交する方向である水平方向に延びる風送り板とからなり、前記風受け板は前記送風ファンの側の下端縁から前記空気吸入部の側の上端縁に向かって斜め方向に延び、前記風送り板は前記送風ファンの側の上端縁から前記空気吸入部の側の下端縁に向かって斜め方向に延び、前記風受け板の上端縁と、前記風送り板の上端縁とが前記空気流の方向に直交する方向である水平方向に延びるパネル支持軸によって支持されて連続し、前記パネル支持軸がその軸心を中心として回動することで、前記風受け板と前記風送り板とが両者の間に形成されている角度を保ったまま前記風向調整パネルが前記パネル支持軸を中心とする円周方向への回転角度を変更可能になっている[１]〜[５]のいずれかのデジタル・クーリングコントロール・システム。【００１２】
[７]
前記風向調整パネルは、前記パネル支持軸が、前記上下方向に所定の間隔をあけて複数本配備されている前記上下方向で複数個配備されているものである[６]のデジタル・クーリングコントロール・システム。【００１３】
[８]
前記風向調整パネルは、前記送風ファンと前記空気吸入部との間で、前記送風ファンの位置から前記空気吸入部の位置に向けて複数列配備されており、各列における前記パネル支持軸の前記上下方向の位置が異なっている[７]のデジタル・クーリングコントロール・システム。【００１４】
[９]
前記風向調整パネルは、前記上下方向に伸びる板状体からなり、当該板状体の前記上下方向に伸びる２つの側縁の中心側が、前記上下方向に伸びるパネル支持軸によって支持され、前記パネル支持軸がその軸心を中心として回動することで、前記板状体が前記パネル支持軸を中心とする円周方向への回転角度を変更可能になっている[１]〜[５]のいずれかのデジタル・クーリングコントロール・システム。【００１５】
[１０]
前記風向調整パネルは、前記パネル支持軸が、前記空気流の方向に直交する方向である水平方向に所定の間隔をあけて複数本配備されている前記水平方向で複数個配備されているものである[９]のデジタル・クーリングコントロール・システム。【００１６】
[１１]
前記風向調整パネルは、前記送風ファンと前記空気吸入部との間で、前記送風ファンの位置から前記空気吸入部の位置に向けて複数列配備されており、各列における前記パネル支持軸の前記水平方向の位置が異なっている[１０]のデジタル・クーリングコントロール・システム。【００１７】
[１２]
前記パネル支持軸はその軸心を中心とした前記円周方向への回転角度を所定の回転角度に設定可能である[６]乃至[１１]のいずれかのデジタル・クーリングコントロール・システム。【００１８】
本願発明者は、上述した本発明のデジタル・クーリングコントロール・システムの開発にあたり以下に述べる検討を行っている。【００１９】
１．冷蔵・冷凍の冷却機能サイクル
１−１
冷蔵・冷凍の商品の設定温度の基準として蒸発温度と凝縮温度があり、凝縮温度は冷媒ガスが圧縮されて液化する時の温度であり、例えば、冷媒ガスが圧縮機で圧縮されると、冷媒の種類、蒸発温度により、吐出し温度は、例えば、１００℃前後となり、空冷の場合、凝縮器（コンデンサ）のプレートフィン式熱交換器で１００℃の冷媒ガスの高温状態が冷やされ、吸込み面風速は、例えば、通常は２ｍ／ｓｅｃであり、凝縮温度は、夏季３２℃の場合は、５５℃前後であり、冷蔵・冷凍の冷却能力は（１００℃−５５℃）＝４５℃となり、その数値の冷却能力が各冷凍機の能力となり、圧縮に必要な電力が増減する。【００２０】
１−２
従って、夏季の外気高温度または通常季節の外気温度の低下は、冷凍機の能力と、また負荷の増減に影響し、消費電力量が増減することになる。【００２１】
１−３
冷蔵・冷凍ケース、冷蔵・冷凍庫のケース・庫内温度が、例えば、アイス−２６℃、冷食−１８℃の場合の蒸発温度は−４０℃を基準とする冷凍機の冷却能力とし、ケース・庫内温度が、例えば、精肉・鮮魚０℃、日配・惣菜３〜５℃、青果７℃の場合の蒸発温度は−１０℃を基準とする冷凍機の冷却能力とすることができる。【００２２】
２．冷蔵・冷凍用途の冷凍装置特性
２−１  冷凍サイクルの各工程
冷凍サイクルは下記の通りである 
（１）圧縮工程（圧縮機）：蒸発器で蒸発した低圧の冷媒を圧縮で吸込み高圧の冷媒を吐出する。（低圧→高圧：断熱圧縮）
（２）凝縮工程（凝縮器）：圧縮機からの高圧高温の冷媒を凝縮器で冷却液化する。また冷却媒体として空気、冷却水を使用する。（定圧変化：定圧圧縮）
（３）膨張工程（膨張弁）：凝縮器で液化した冷媒を膨張弁で低圧冷却して蒸発器に吐出する。（高圧→低圧：絞り膨張）
（４）蒸発工程（蒸発器）：膨張弁で低圧冷却された冷媒を蒸発器で蒸発させて空気、その他の対象物を冷却する。（定圧変化：低圧膨張）。【００２３】
２−２  冷凍サイクルの成績係数 
成績係数ＣＯＰ（冷却熱量／圧縮動力）に影響する主な要因は、蒸発温度と凝縮温度である 
蒸発温度：蒸発温度が高いほど、冷凍能力が大きく圧縮動力が小さくなる
凝縮温度：凝縮温度が低いほど、冷凍能力が大きく圧縮動力が小さくなる。【００２４】
２−３  蒸発温度 
蒸発温度は冷却対象物に対して適正な値に設定するため、冷凍負荷の過大な増加や機器不良の場合以外は一定の値となる。【００２５】
２−４  凝縮温度 
凝縮温度は、冷凍負荷の大きさや凝縮器の空気等冷却媒体の状態により変化する。このため、冷凍能力、圧縮動力は凝縮温度の影響を強く受けるため、凝縮温度の抑制は省エネ運転を行う上で非常に重要である。【００２６】
３．
＜散水冷却マットを使用する場合の凝縮温度低下＞
本願発明者は、後述する実施形態で説明する散水冷却マット１３に水を流下させることでの圧縮機（凝縮機）での凝縮温度低下効率を検討した。【００２７】
後述する実施形態で説明する送風ファン１２を稼働させない場合であっても、室外機の空気吸入部に吸い込まれる外気は、水分が流下している散水冷却マット１３を通過することで、気化熱によって、外気よりも温度が低下した空気流になって室外機の空気吸入部に吸入される。これによって、散水冷却マット１３の使用を行わない従来の空冷凝縮機の場合に比較して、凝縮温度を低下させることができる。【００２８】
熱通過率を算出し、その後、伝熱温度差と吸い込み空気温度を参照して本願発明者が検討したところ、外気空気温度を、例えば、３２℃とした場合で、散水冷却マット１３の使用を行わない従来の空冷凝縮機の場合に比較して、２９℃〜２７℃まで３℃〜５℃前後凝縮温度は低下する。なお、室外機の空気吸入部に吸入される空気流の流速を２．０ｍ／ｓｅｃとして検討した。【００２９】
＜送風ファンと散水冷却マットを使用する場合の凝縮温度低下＞
本願発明者は、後述する実施形態で説明する送風ファン１２を稼働させ、送風ファン１２によって生じた空気流が、水が流下している散水冷却マット１３を通過することで圧縮機（凝縮機）での凝縮温度が低下する効率を検討した。【００３０】
送風ファン１２の稼働によって室外機の空気吸入部に向けて強制的に流動している空気流が、水分が流下している散水冷却マット１３を通過することで、気化熱によって外気よりも温度が低下し、送風ファン１２により強められた風速で、室外機の空気吸入部に吸入される。これによって凝縮温度を低下させることができる。【００３１】
熱通過率を算出し、その後、伝熱温度差と吸い込み空気温度を参照して本願発明者が検討したところ、外気空気温度を、例えば、３２℃とした場合で、送風ファン１２及び、散水冷却マット１３の使用を行わない従来の空冷凝縮機の場合に比較して、凝縮温度が９．４℃低下する。気化熱による温度低下と、熱伝達率の向上により熱交換に必要な伝熱温度が小さくなるためである。なお、送風ファン１２の稼働による室外機の空気吸入部に吸入される空気流の流速を４．０ｍ／ｓｅｃとして検討した。【００３２】
＜凝縮温度低下による冷凍機動力の省エネ効果＞
発明者が検討したところ、後述する実施形態で説明する送風ファン１２を稼働させず、散水冷却マット１３のみを用いて、散水冷却マット１３に水を流下させることでの、散水冷却マット１３の使用を行わない従来の空冷凝縮機の場合に比較した、冷凍機動力の省エネ効果は、凝縮温度降下を、例えば、５５℃→５０℃とした場合で、冷媒の種類ごとに蒸発温度を、例えば、次のように設定すると、以下の表１のようであった。【００３３】
【表１】
0006778975.tif 000002
【００３４】
また、発明者が検討したところ、後述する実施形態で説明する送風ファン１２と、散水冷却マット１３とを用いて、これらのいずれをも使用しない従来の冷凝縮機の場合に比較した、冷凍機動力の省エネ効果は、凝縮温度降下を、例えば、５５℃→４５℃とした場合で、冷媒の種類ごとに蒸発温度を、例えば、次のように設定すると、以下の表２のようであった。【００３５】
【表２】
0006778975.tif 000003
【００３６】
上述の表１、表２の検討における、凝縮温度低下による冷凍機動力の省エネ効果の算出はｐ−ｈ線図による冷凍サイクルの各比エンタルピ値による吐出工程と蒸発工程の比エンタルピ差により算出たもので、比エンタルピ算出の条件は次の通りにしている。
（１）吸込蒸気の過熱度（ＳＨ）：０[℃]
（２）凝縮液の過冷却度（ＳＣ）：０[℃]
（３）圧縮機吐出し後の比エンタルピは理論圧縮値と圧縮効率により算出【００３７】
以上の検討結果により、本発明のデジタル・クーリングコントロール・システムによれば次のようになる。
３−１
凝縮器（コンデンサ）の冷却能力が上昇し、凝縮器（コンデンサ）の凝縮能力が高まり冷凍機の稼動係数が低くなる。【００３８】
１）例えば、散水冷却マットへの散水のみの場合の省エネ効果は次の通りとなる。
蒸発温度−１０℃の場合（精肉・鮮魚、日配・惣菜、青果等）：１４．８％〜２０．９％
蒸発温度−４０℃の場合（アイス、冷食等）：１１．４％〜２０．２％【００３９】
２）例えば、散水冷却マットへの散水と送風ファンを組み合わせた場合の省エネ効果は次の通りとなる。
蒸発温度−１０℃の場合（精肉・鮮魚、日配・惣菜、青果等）：２８．１％〜３７．４％
蒸発温度−４０℃の場合（アイス、冷食等）：２１．５％〜３５．２％【００４０】
３−２  
送風ファンの稼働、散水冷却マットへの散水に関しては、例えば、次のような制御を選定できる。
１）最高温度で制御する
２）雨センサーで運転停止する【００４１】
３−３  
冷凍機稼動係数に関しては、例えば、次のように取り扱うことができる。
１）冷凍機電力量のパルス信号入力に基づく冷凍機稼動係数の算定
２）冷凍機稼動係数は、任意設定する数で、例えば、３０〜４０％以上とすることができる。【００４２】
３−４
散水冷却マットに散水し送風ファンによる送風と、散水による気化熱で大気中の、例えば、３０℃の温度が３〜５℃程度、あるいは、４℃〜６℃程度低下する。【００４３】
４−１
地球温暖化により、例えば、４月〜１０月に限らず、１１月〜１２月、１月〜３月等であっても、外気温度の上昇は、年間の四季を通して発生する。このため、冷蔵・冷凍ショーケース及び冷蔵・冷凍庫等と空調機の稼動係数は四季を通して高まり、電力の消費量は増加する。外気温度の上昇などにより、前記設備の稼動係数が、例えば、３０％〜４０％の所定の値になれば送風ファンの稼働、散水冷却マットへの散水を行うことで、空冷凝縮器（コンデンサ）のフィンの冷却機能を高めるため、該システムの配管の最下部に給水ゲートを設置し、外気温度センサーまたは稼動係数を検知する設備のパルス信号を入力し、設定温度、例えば、２４℃または、稼動係数、例えば、３０〜４０％に達すれば、配管の給水ゲートバルブを電磁弁でオープン、散水を開始する。【００４４】
４−２
前記によらず、例えば、１２月〜３月等の外気温度が２０℃以下または、稼動係数が、例えば、２０％という状態が、任意に設定した日数である、例えば、１週間まで達すれば、電磁弁に信号を送り、給水ゲートがクローズし、同配管内の水を自動的に給水停止し、冬季の配管の滞留水を同配管の排水用電磁弁が開となり、自動的に排水し、凍結による破壊を防止する。【００４５】
４−３
散水中の水温が外気の直射日光、または高温の外気温度により、散水用の水道が外気温度と温度差が、例えば、１〜２℃以下であれば給水を停止するようにすることもできる。【００４６】
４−４
該システムは、空冷凝縮器（コンデンサ）のフィン冷却機能を、散水の気化熱の凝縮器（コンデンサ）吸気機能を高め、冷凍機の稼動係数を低下するシステムであるが、その場合、散水エアフィルターに散水により、散水に含まれるシリカ等が付着すると、凝縮器（コンデンサ）の吸気冷却能力は大幅ダウンする。【００４７】
４−５
上記の散水冷却マットに、例えば、１年〜３年の経過年数により付着したシリカ等を、該システムは固定ボルトまたは緊縛金具等を外し、散水冷却マットを横方向にスライドすると長時間を要する固定金物は現状、散水マットをスライドする作業時間、内容が容易にワンタッチで取外し、装着が可能で、誰でも簡単に可能となる。【００４８】
４−６
該システムは、空調、冷蔵・冷凍ショーケース、冷蔵・冷凍庫の空冷方式は可能であり、屋外凝縮器（コンデンサ）、冷却装置の電流値、電力値はパルス信号で入力し、外気温度、雨センサーは設備の周囲に設置する。【００４９】
４−７
散水冷却マットの内側（室外機の空気吸入口側）に風速計を装着し、散水冷却マットにシリカ等が付着することにより送風が通過する空隙部が狭くなったことを指標する空隙率を風速計で測定する風速との関係で事前に把握しておく。例えば、設定している風速で送風ファンを駆動しているときに、空間率６０〜７０％に相当する風速にまで風速計で検知する風速が低下したならば、該散水マットの状態を、該システムのＰＣサーバー及び関係者のスマートフォンに送信し、関係者は直ちに、上述した散水冷却マットの交換を行い、常時良好な冷却機能を監視対応できる。
【発明の効果】
【００５０】
この発明のデジタル・クーリングコントロール・システムによれば、空気調和装置、冷凍装置、冷蔵装置、冷凍庫、冷蔵庫、自動販売機などの冷凍サイクル装置、特に、圧縮機を備えている室外機を構成要素に含む冷凍サイクル装置の運転において大幅な省エネ効果を発揮することができる。
【図面の簡単な説明】
【００５１】
【図１】本発明のデジタル・クーリングコントロール・システムの概略構成の一例を説明するブロック図。
【図２】図１図示のデジタル・クーリングコントロール・システムを構成するデジタルクーリング装置及びデジタルクーリング制御装置のブロック図。
【図３】図２図示のデジタルクーリング装置の構成概要を説明する図。
【図４】図２図示のデジタルクーリング装置の各構成配置の一例を説明する分解斜視図。
【図５】（ａ）デジタルクーリング装置の右側面から見た一部を省略した概略構成図、（ｂ）デジタルクーリング装置における送風ファンと水切りダンパーの配置構成を説明する一部を省略した側面図、（ｃ）水切りダンパーが回動自在に配置されていることを説明する背面図、（ｄ）デジタルクーリング装置の外側に突出している水切りダンパーの回転角度調整レバーの一例を説明する図。
【図６】（ａ）水切りダンパーの正面図、（ｂ）水切りダンパーの背面図、（ｃ）水切りダンパーの側面図、（ｄ）、（ｅ）は水切りダンパーが回動自在に配置されていることを説明する側面図。
【図７】（ａ）本発明のデジタル・クーリングコントロール・システムを構成するデジタルクーリング装置に配備される送風ファンの一実施形態をデジタルクーリング装置の側から圧縮機を備えている冷凍サイクル装置の室外機における空気吸入部の側に向かって見たときの一部を省略した図、（ｂ）デジタルクーリング装置における送風ファンと散水冷却マットの配置形態の一例を説明する一部を省略した側面図。
【図８】本発明のデジタル・クーリングコントロール・システムを構成するデジタルクーリング装置に配備される風向調整パネルの一実施形態を説明する図であって、（ａ）はパネル支持軸がその軸心を中心とする円周方向への回転角度を変更することで上下方向に伸びる板状体からなる風向調整パネルがパネル支持軸を中心として前記円周方向への回転角度を変更する機構の一例を説明する平面図、（ｂ）はパネル支持軸が前記円周方向への回転角度を変更することで上下方向に伸びる板状体からなる風向調整パネルがパネル支持軸を中心として前記円周方向への回転角度を種々に変更可能であることを説明する図。
【図９】本発明のデジタル・クーリングコントロール・システムを構成するデジタルクーリング装置に配備される風向調整パネルによって送風ファンから冷凍サイクル装置の室外機における空気吸入部の方向に向かう空気流の進行方向に調整が加えられることを説明する一部を省略した平面図。
【図１０】本発明のデジタル・クーリングコントロール・システムを構成するデジタルクーリング装置に配備される風向調整パネルによって送風ファンから冷凍サイクル装置の室外機における空気吸入部の方向に向かう空気流の進行方向に調整が加えられることを説明する他の図であって、デジタルクーリング装置における散水冷却マットと風向調整パネルとの配置形式が図９図示の場合と異なるときの一例を説明する一部を省略した平面図。
【図１１】本発明のデジタル・クーリングコントロール・システムを構成するデジタルクーリング装置に配備される風向調整パネルによって送風ファンから冷凍サイクル装置の室外機における空気吸入部の方向に向かう空気流の進行方向に調整が加えられることを説明する他の図であって、デジタルクーリング装置における散水冷却マットと風向調整パネルとの配置形式が図９、図１０図示の場合と異なるときの一例を説明する一部を省略した平面図。
【図１２】本発明のデジタル・クーリングコントロール・システムを構成するデジタルクーリング装置に配備される風向調整パネルによって送風ファンから冷凍サイクル装置の室外機における空気吸入部の方向に向かう空気流の進行方向に調整が加えられることを説明する他の図であって、デジタルクーリング装置における散水冷却マットと風向調整パネルとの配置形式が図９、図１０、図１１図示の場合と異なるときの一例を説明する一部を省略した平面図。
【発明を実施するための形態】
【００５２】
この実施形態のデジタル・クーリングコントロール・システムは、デジタルクーリング装置１１とデジタルクーリング制御装置２１とから構成されている。
【００５３】
デジタルクーリング制御装置２１は、コンピュータから構成することができる。この場合、図示していないが、オペレーティングシステムや、インストールあるいはダウンロードした所定のコンピュータプログラムなどに従って、この実施形態のシステムの各種の機能が実現されるように制御を行うＣＰＵ、オペレーティングシステムや種々のコンピュータプログラムなどを記憶し、また、ＣＰＵが各制御のための処理を実行する上で必要なデータを記憶する記憶部としてのＲＯＭ、ＣＰＵが処理を実行する上で必要なデータを記憶し、ＣＰＵによって情報が適宜書き換えられるワークエリアとしても利用されるＲＡＭやハードディスク、通信インターフェース等の情報入出力部などが備えられていて、これらが必要なバスラインで接続されている構成になる。
【００５４】
このコンピュータから構成されるデジタルクーリング制御装置２１（図１、図３ではリモート制御装置として表示されている）は、送風ファン１２、散水冷却マット１３、風向調整パネル１４、デジタル風速計１５、吹き出し温度センサ１６、給水量検知センサ１７、雨センサー１８、外気温度センサー１９、デジタル湿度計２０などを備えている、後述するデジタルクーリング装置１１と、有線又は無線のネットワークを介して情報交信可能に接続されている。
【００５５】
図１、図３ではリモート制御装置として表示されているデジタルクーリング制御装置２１は、デジタルクーリング装置１１のデジタル風速計１５、吹き出し温度センサー１６、給水量検知センサー１７、雨センサー１８、外気温度センサー１８、デジタル湿度計２０などからそれぞれが検知した情報をデジタル情報で取得すると、各情報に関わる冷凍サイクル装置や、冷凍サイクル装置に接続されている室外機を特定する情報に関連付けて、必要な情報をデジタルクーリング制御装置２１の記憶部に記憶、格納しておく。
【００５６】
また、図１、図３ではリモート制御装置として表示されているデジタルクーリング制御装置２１は、デジタルクーリング装置１１のデジタル風速計１５、吹き出し温度センサー１６、給水量検知センサー１７、雨センサー１８、外気温度センサー１８、デジタル湿度計２０などからそれぞれが検知した情報をデジタル情報で取得し、後述するように、デジタルクーリング装置１１が備えている送風ファン１２に対する動作制御、デジタルクーリング装置１１が備えているバルブに対する開閉動作制御を介した散水冷却マット１３への給水動作制御、風向調整パネルの後述する回転角度変更動動作制御などを、所定のコンピュータプログラムに従って指示、実行することになる。
【００５７】
デジタルクーリング装置１１は、送風ファン１２、散水冷却マット１３、風向調整パネル１４、デジタル風速計１５、吹き出し温度センサー１６、給水量検知センサー１７、雨センサー１８、外気温度センサー１９、デジタル湿度計２０を備えている。
【００５８】
図３において変風量ファンと表示されている送風ファン１２は、圧縮機（図３では凝縮機と表示している）を備えている冷凍サイクル装置の室外機における空気吸入部の外側に配備されていて、図３、図５（ｂ）図示のように、室外機の外側の大気である外気を空気吸入部の側に向けて送ることで空気吸入部に向かう方向の外気の空気流を生じさせるものである。
【００５９】
散水冷却マット１３、風向調整パネル１４、デジタル風速計１５は、送風ファン１２と前記空気吸入部との間で、送風ファン１２の位置から前記空気吸入部の位置に向けて散水冷却マット１３、風向調整パネル１４、デジタル風速計１５の順で配備する形態にすることができる。また、図３には図示していないが、送風ファン１２と前記空気吸入部との間で、送風ファン１２の位置から前記空気吸入部の位置に向けて風向調整パネル１４、散水冷却マット１３、デジタル風速計１５の順で配備する形態にすることもできる。
【００６０】
デジタル湿度計２０は、送風ファン１２から送られてきた空気流が、水が流下している散水冷却マット１３内を通過して室外機の空気吸入部方向に向かっていく際の空気流における湿度を計測している。そこで、デジタル湿度計２０は、図３、図４に図示されているように、デジタル風速計１５が送風ファン１２と冷凍サイクル装置の室外機における空気吸入部との間で配置されている位置に配置される。
【００６１】
送風ファン１２が稼働することで、室外機における圧縮機（凝縮機）の作用によって空気吸入部から室外機内に外気が吸い込まれる空気流の風速よりも強い風速で、強制的に、室外機の空気吸入部内に外気を送り込むことができる。これによって、圧縮機（凝縮機）での熱交換を効率よく行わせることができる。
【００６２】
散水冷却マット１３は、図３、図４、図５（ｂ）図示のように、送風ファン１２と空気吸入部との間に配備されていて、前述した空気流の方向に直交する方向である上側から下側に向かって上下方向に水分が流下すると共に、送風ファン１２から送られてきた空気流が空気吸入部の方向に向けて通過できるものである。
【００６３】
このような機能を発揮できる散水冷却マット１３としては、例えば、多孔質な板状体や、スポンジ構造の板状体、不織布による板状体などを採用することができ、これらは、合成樹脂材料や金属材料などから形成することができる。
【００６４】
後述するように、図３にリモート制御装置と表示されているデジタルクーリング制御装置２１の給水制御手段２３からの指示、制御によって、デジタルクーリング装置１１におけるバルブ、電磁弁が開閉制御されて、散水管４に上水や、中水などが供給され、散水ノズル５を介して、室外機の空気吸入部方向に向かった、水平方向に、あるいは、斜め下方向に、上述したように板状体である散水冷却マット１３の上部に上水や、中水などに吹き付けられ、散水される（図５（ｂ））。こうして、板状体である散水冷却マット１３の上部に散水、吹き付けられた上水、中水は、散水冷却マット１３内を、散水冷却マット１３の下部に向かって上下方向に流下していく。
【００６５】
これに対して、上述したように送風ファン１２から送られてきた空気流が、上水、中水が流下している散水冷却マット１３内を通過して室外機の空気吸入部方向に向かっていく。
【００６６】
図７（ａ）は、この実施形態のデジタル・クーリングコントロール・システムを構成するデジタルクーリング装置１１に配備される送風ファン１２の一実施形態をデジタルクーリング装置１１の側から圧縮機を備えている冷凍サイクル装置の室外機における空気吸入部の側に向かって見たときの一部を省略した図である。上下方向に２個の送風ファン１２が配置されている場合を説明している。
【００６７】
図７（ｂ）はデジタルクーリング装置１１における送風ファン１２と散水冷却マット１３の配置形態の一例を説明する一部を省略した側面図である。上下方向に所定の間隔をあけて配備されている２個の送風ファン１２、１２によって空気流が矢印４０で示すように進んでいく。
【００６８】
送風ファン１２、１２の室外機空気吸入部の側に散水冷却マット１３が配備されている。散水冷却マット１３は、矢印４０の方向で間隔をあけて配備されている支持枠体４０ａ、４０ｂの中に、図７（ｂ）中の上側から下側に向けて挿入して配備する。取り換える際には、使用済の散水冷却マット１３を、支持枠体４０ａ、４０ｂから図７（ｂ）中の下側から上側に向けて抜き出して、簡単に、新しい散水冷却マット１３に取り換えることができる。
【００６９】
多孔質の板状体や、スポンジ構造の板状体、不織布による板状体などからなる散水冷却マット１３に対して散水ノズル５から吹き付けられた水は、支持枠体４０ａ、４０ｂの下部側に配備されている排水口４３の方向に向けて、散水冷却マット１３内を穏やかに矢印４２で示す上下向下側へ流下していく。
【００７０】
上述したように、送風ファン１２が稼働することで、室外機における圧縮機（凝縮機）の作用によって空気吸入部から室外機内に外気が吸い込まれる空気流の風速よりも強い風速で、室外機の空気吸入部内に外気を強制的に送り込むことができ、圧縮機（凝縮機）での熱交換を効率よく行わせることができる。このように、送風ファン１２によって引き起こされた空気流は、上側から下側に向かって上下方向に水分が流下している散水冷却マット１３を通り抜けてくることで、外気温度よりも低い温度に冷却された状態で、室外機の空気吸入部内に送り込まれることになる。これによって、圧縮機（凝縮機）での熱交換を一層効率よく行わせることができる。
【００７１】
風向調整パネル１４は、図３に「水切りダンパー」として表示されているように、散水冷却マット１３と空気吸入部との間に配備される形態にすることができる（図５（ｂ））。
【００７２】
風向調整パネル１４は、室外機の外側の大気である外気を空気吸入部の側に向けて送ることで空気吸入部に向かう方向の外気の空気流を生じさせる送風ファン１２によって引き起こされた空気流の前記空気吸入部の方向に向かう進行方向に調整を与えるものである。
【００７３】
図５（ｂ）図示のように、風向調整パネル１４が、散水冷却マット１３と空気吸入部との間に配備される形態になる場合、風向調整パネル１４は、送風ファン１２から前記空気吸入部の方向に向かう前記空気流の進行方向に調整を与えるだけでなく、散水冷却マット１３を通過してきた空気流に含まれている水分を除去する役割をも果たすことになる。そこで、図３では、散水冷却マット１３と空気吸入部との間に配備される風向調整パネルを「水切りダンパー」として表示している。
【００７４】
上述したように、送風ファン１２によって引き起こされた空気流は、上側から下側に向かって上下方向に水分が流下している散水冷却マット１３を通り抜けてくることで、外気温度よりも低い温度に冷却された状態で、空気吸入部内に送り込まれることになる。これによって、圧縮機（凝縮機）での熱交換を一層効率よく行わせることができる。
【００７５】
一方、送風ファン１２から送られてきた空気流が散水冷却マット１３を通過して室外機の空気吸入部の方向に向かう際に、散水冷却マット１３を流下している水分が前記空気流に混入して室外機の空気吸入部に到達してしまう可能性がある。
【００７６】
風向調整パネル１４は、空気流に水分が混入している場合に、空気流から水分を除去し、水分を含んでいない空気流が室外機の空気吸入部に向かうようにする役割をも果たすことになる。
【００７７】
図示の実施形態では、風向調整パネル１４は、送風ファン１２の側に位置して空気流の方向に直交する方向である水平方向（図６(ａ)の左右方向）に延びる風受け板６ａと、空気吸入部の側に位置して空気流の方向に直交する方向である水平方向（図６(ｂ)の左右方向）に延びる風送り板６ｂとから構成されている（図６）。
【００７８】
風受け板６ａは、図６（ｃ）図示のように、送風ファン１２の側の下端縁から空気吸入部の側の上端縁に向かって斜め方向に延びている。風送り板６ｂは、図６（ｃ）図示のように、送風ファン１２の側の上端縁から空気吸入部の側の下端縁に向かって斜め方向に延びている。
【００７９】
そして、風受け板６ａの上端縁と、風送り板６ｂの上端縁とが空気流の方向に直交する方向である水平方向（図６(ａ)、（ｂ）の左右方向）に延びるパネル支持軸６ｄによって支持されて連続している（図６（ｃ））。
【００８０】
パネル支持軸６ｄがその軸心を中心として、矢印６ｅ、６ｆで示すように、回動することで、風受け板６ａと風送り板６ｂとが、図６（ｃ）図示の、両者の間に形成されている角度を保ったまま、風向調整パネル１４がパネル支持軸６ｄを中心とする円周方向への回転角度を変更するように回動する。
【００８１】
図６（ｄ）は、図６（ｃ）図示の状態から、風向調整パネル１４がパネル支持軸６ｄの軸心を中心として矢印６ｆで示す方向に回転角度を変更させた状態を示すものである。図６（ｅ）は、図６（ｃ）図示の状態から、風向調整パネル１４がパネル支持軸６ｄの軸心を中心として矢印６ｅで示す方向に回転角度を変更させた状態を示すものである。
【００８２】
図６を用いて上記に説明した風向調整パネル１４は、デジタルクーリング装置１１内で上下方向に互いに所定の間隔をあけて複数設置することができる。図５図示の実施形態では上下方向に風向調整パネル１４が４個配備されている。
【００８３】
上下４段の風向調整パネル１４は、上下方向に延びている風向調整パネル連動レバー７により、それぞれのパネル支持軸６ｄの軸心を中心として、矢印６ｅ、６ｆ方向へ同一回動角度で回転角度を変更できるようになっている。
【００８４】
この回転角度変更動作は、回転角度調整レバー１０を用いて行わせ、任意の回転角度になったところで角度固定ストッパー９によって、パネル支持軸６ｄの軸心を中心とした回転角度を所定の回転角度に設定、固定することができる。
【００８５】
また、図示していないが、後述するデジタルクーリング制御装置２１からの制御を受けて、各風向調整パネル１４がパネル支持軸６ｄの軸心を中心にして所望の回転角度に電動で回転角度変更するようにすることもできる。
【００８６】
上述したように、風向調整パネル１４を、デジタルクーリング装置１１内で上下方向に互いに所定の間隔をあけて複数設置する場合、すなわち、パネル支持軸６ｄが、上下方向に所定の間隔をあけて複数本配備されていることにより風向調整パネル１４が上下方向で複数個配備する形態の場合、更に、送風ファン１２と空気吸入部との間で、送風ファン１２の位置から空気吸入部の位置に向けて、前述した上下方向で複数個配備されている風向調整パネル１４を、複数列配備する実施形態にすることもできる。この場合、送風ファン１２の位置から空気吸入部の位置に向けて複数列配備されている各列において上下方向にそれぞれ所定の間隔をあけて配備されているパネル支持軸６ｄの上下方向位置を各列で異ならせることができる。
【００８７】
このようにすれば、送風ファン１２の位置から空気吸入部の方向に向かう一列目の複数個の風向調整パネル１４の上下方向位置と、二列目の複数個の風向調整パネル１４の上下方向位置とが相違するようになり、一列目の風向調整パネル１４、１４の上下方向における隙間を通過してきた空気流が、二列目の風向調整パネル１４に衝突して風向を変更する空気流を形成することができる。
【００８８】
図８〜図１２に図示されている風向調整パネル４４ａ、４４ｂ、４４ｃは、上下方向に伸びる板状体からなり、当該板状体の上下方向に伸びる側縁の中心側が、上下方向に伸びるパネル支持軸４７、４７ａ、４７ｂ、４７ｃによって支持されているものである。パネル支持軸４７ａ、４７ｂ、４７ｃがその軸心を中心として円周方向に回転する角度を変更することで、前記板状体からなる風向調整パネルがパネル支持軸４７ａ、４７ｂ、４７ｃを中心として前記円周方向に回転する角度を変更する。
【００８９】
この場合、パネル支持軸４７が、矢印５０、５１で示す空気流の方向に直交する方向である水平方向に所定の間隔をあけて複数本配備されていて、風向調整パネル４４ａが、前記水平方向で複数個配備されている形態にすることができる。
【００９０】
図８（ａ）、（ｂ）では、パネル支持軸４７が、矢印５０、５１で示す空気流の方向に直交する方向である水平方向に所定の間隔をあけて４本配備されていて、風向調整パネル４４ａが、水平方向で４個配備されている形態である。
【００９１】
パネル支持枠体４５に設けられているレバー４６を回転操作することで、４個の風向調整パネル４４ａのパネル支持軸４７を同一方向で同一回転角度回転させ、例えば、図８（ａ）に符号４４ａで示している風向調整パネルの位置から、図８（ａ）に符号４４ａ´で示している風向調整パネルの位置へ、また、図８（ｂ）に符号４４ａで示している風向調整パネルの位置から、図８（ｂ）に符号４４ａ´、４４ａ´´で示している風向調整パネルの位置などへ回転角度を変更可能である。
【００９２】
このように、送風ファン１２と空気吸入部との間で、矢印５０、５１で示す空気流の方向における同一の位置で、矢印５０、５１で示す空気流の方向に直交する方向である水平方向に所定の間隔をあけて複数個の風向調整パネル４４ａ、４４ａ、４４ａ、４４ａが配備されている場合、図８（ａ）、（ｂ）図示のような一列のみの配置形式でなく、このような配置形式が、送風ファン１２と空気吸入部との間で、送風ファン１２の位置から空気吸入部の位置に向けて複数列配置されている形態にすることができる。図９〜図１２は、このような配置形式の一例を説明するものである。
【００９３】
図９図示の実施形式では、送風ファン１２と空気吸入部との間で、送風ファン１２の位置から空気吸入部の位置に向けて複数列配置されている風向調整パネルにおいて、風上側における一列目の風向調整パネル４４ａのパネル支持軸４７ａの左右方向における位置と、二列目の風向調整パネル４４ｂのパネル支持軸４７ｂの左右方向における位置、三列目の風向調整パネル４４ｃのパネル支持軸４７ｃの左右方向における位置が同一になっている。
【００９４】
図１０図示の実施形式では、送風ファン１２と空気吸入部との間で、送風ファン１２の位置から空気吸入部の位置に向けて複数列配置されている風向調整パネルにおいて、風上側における一列目の風向調整パネル４４ａのパネル支持軸４７ａの左右方向における位置と、二列目の風向調整パネル４４ｂのパネル支持軸４７ｂの左右方向における位置とが異なっている。そして、三列目の風向調整パネル４４ｃのパネル支持軸４７ｃの左右方向における位置は、二列目の風向調整パネル４４ｂのパネル支持軸４７ｂの左右方向における位置とは異なっていて、一列目の風向調整パネル４４ａのパネル支持軸４７ａの左右方向における位置と同一になっている。
【００９５】
図９図示の実施形態の場合に比較して、図１０図示の実施形態の場合は、空気流の流れが複雑になっている。
【００９６】
図９、図１０は、散水冷却マット１３、風向調整パネル４４ａ、４４ｂ、４４ｃ、デジタル風速計１５、デジタル湿度計２０が、送風ファン１２と空気吸入部との間で、送風ファン１２の位置から空気吸入部の位置に向けて散水冷却マット１３、風向調整パネル４４ａ、４４ｂ、４４ｃ、デジタル風速計１５及びデジタル湿度計２０の順で配備される場合の一例を説明するものである。
【００９７】
図１１、図１２は、風向調整パネル４４ａ、４４ｂ、４４ｃの配置形式が図８、図９図示の場合と同一で、散水冷却マット１３、風向調整パネル４４ａ、４４ｂ、４４ｃ、デジタル風速計１５、デジタル湿度計２０が、送風ファン１２と空気吸入部との間で、送風ファン１２の位置から空気吸入部の位置に向けて風向調整パネル４４ａ、４４ｂ、４４ｃ、散水冷却マット１３、デジタル風速計１５及びデジタル湿度計２０の順で配備される場合の一例を説明するものである。
【００９８】
図９〜図１２の実施形態では、送風ファン１２と空気吸入部との間（図９〜図１２における上下の方向）で、送風ファン１２の位置から空気吸入部の位置に向けて、水平方向（図９〜図１２における左右方向）で複数個（図示の例では３個）配備されている風向調整パネルが、複数列（図示の例では３列）配備する実施形態で説明した。
【００９９】
しかし、図９〜図１２に例示した３列に限られず、１列から任意の複数列に変更可能である。また、水平方向（左右方向）に配備される各列における風向調整パネルの数も２個や、３個に限られず、１個から任意の複数個に変更可能である。
【０１００】
図９〜図１２では各図面における上側に送風ファン（不図示）が、各図における下側に冷凍サイクル装置の室外機における空気吸入部(不図示)がそれぞれ存在していて、各図に矢印で示したように、送風ファンから冷凍サイクル装置の室外機における空気吸入部の方向に向かう空気流の進行方向に調整が加えられる。
【０１０１】
図９〜図１２は、風向調整パネルが、上下方向に伸びる板状体からなり、当該板状体の上下方向に伸びる２つの側縁の中心側が上下方向に伸びるパネル支持軸によって支持されパネル支持軸がその軸心を中心として回動することで板状体がパネル支持軸を中心とする円周方向への回転角度を変更可能になっている形態で説明している。
【０１０２】
上述した風向調整パネルが、記空気流の方向に直交する方向である水平方向に延びる風受け板と風送り板とを備えている形態の場合であっても、前述していたように、送風ファン１２の位置から空気吸入部の方向に向かう一列目の複数個の風向調整パネル１４の上下方向位置と、二列目の複数個の風向調整パネル１４の上下方向位置とを相違させ、一列目の風向調整パネル１４、１４の上下方向における隙間を通過してきた空気流が、二列目の風向調整パネル１４に衝突して風向を変更する空気流が形成されるようにして、図９〜図１２で説明したのと同じように送風ファンから冷凍サイクル装置の室外機における空気吸入部の方向に向かう空気流の進行方向に調整を加えることができる。
【０１０３】
図３に風速計と表示されているデジタル風速計１５は、図３図示のように、風向調整パネル（図３では「水切りダンパー」と表示されている）と空気吸入部との間に配備されている。これによって、送風ファン１２の稼働によって室外機の空気吸入部に向けて生起された外気の空気流の流速（風速）を把握することができる。
【０１０４】
図３に湿度計と表示されているデジタル湿度計２０は、デジタル風速計１５が送風ファン１２と室外機の空気吸入部との間で配置されている位置に配備される。デジタル湿度計２０は、送風ファン１２から送られてきた空気流が、水が流下している散水冷却マット１３内を通過して室外機の空気吸入部方向に向かっていく際の空気流における相対湿度を計測している。
【０１０５】
吹き出し温度センサー１６は、圧縮機（図３の凝縮機）から吹き出される冷媒の温度を検知する。
【０１０６】
図３に計量計と表示されている給水量検知センサー１７は、散水冷却マット１３に給水される水の量を検知する。
【０１０７】
雨センサー１８は、室外機の外側における降雨状態を検知する。
【０１０８】
外気温度センサー１９は、室外機の外側における外気温度状態を検知する。
【０１０９】
デジタルクーリング制御装置２１のインタフェース部は、有線又は無線のネットワークを介して、上述したデジタル風速計１５、吹き出し温度センサー１６、給水量検知センサー１７、雨センサー１８、外気温度センサー１９、デジタル湿度計２０が検知した情報をデジタル情報で取得し、これらのデジタル情報が、後述するデジタルクーリング制御装置２１の給水制御手段２３、送風制御手段２３、マット交換通知情報出力手段２５、稼働係数通知情報出力手段２６、給水量情報出力手段２７などが行う各処理、各制御動作に用いられることになる。
【０１１０】
デジタルクーリング制御装置２１は、冷凍サイクル装置稼働係数算定手段２２、給水制御手段２３、送風制御手段２４、マット交換通知情報出力手段２５、稼働係数通知情報出力手段２６、給水量情報出力手段２７を備えている。
【０１１１】
冷凍サイクル装置稼働係数算定手段２２は、デジタルクーリング制御装置２１が上述したように有線又は無線のネットワークを介して情報交信可能に接続されているデジタルクーリング装置１１が配備されている室外機に接続されている冷凍サイクル装置（例えば、空気調和装置、冷凍装置、冷蔵装置、冷凍庫、冷蔵庫、自動販売機など）の使用電力量を通知する使用電力量デジタル信号に基づいて当該使用電力量デジタル信号を送出してきた冷凍サイクル装置の稼働係数を算定する処理を行う。
【０１１２】
稼働係数の算定は、例えば、算定処理対象になっている冷凍サイクル装置の使用電力量と、当該冷凍サイクル装置に設定されている負荷容量の関係から導き出すことができる。
【０１１３】
給水制御手段２３は、算定された冷凍サイクル装置の稼働係数が所定の稼働係数値になったときに散水冷却マット１３に対する給水開始または給水停止の給水制御を行う。
【０１１４】
例えば、稼働係数が４０％になったときに、図３に上水ｏｒ中水ｏｒ弁水ゲート電磁弁と表示されている電磁弁及び、図３にバルブと表示されているバルブに対して開動作制御を行って、散水管４、散水ノズル５（図４（ｂ））を介して散水冷却マット１３に水を吹き付け、図３、図４（ｂ）の上側から下側に向かって上下方向に散水冷却マット１３を介して水分が流下するようにする。
【０１１５】
また、例えば、稼働係数が３０％になったときに、図３に上水ｏｒ中水ｏｒ弁水ゲート電磁弁と表示されている電磁弁及び、図３にバルブと表示されているバルブに対して閉動作制御を行って、散水管４、散水ノズル５（図４（ｂ））を介しての散水冷却マット１３への水の吹き付けを停止する。
【０１１６】
どのような稼働係数の時に上述した開動作制御、閉動作制御を行うようにするかは、上述した稼働係数３０％〜４０％の範囲に限定されず、最も好ましい冷却効率となるように、冷凍サイクル装置の種類・属性、使用されている場所、春・夏・秋・冬といった季節などに応じて種々に設定することができる。
【０１１７】
また、給水制御手段２３は、室外機の外部に設置されているデジタル外気温度センサー１９からデジタル情報で取得した外気温が所定の外気温度値になったときに散水冷却マット１３に対する給水開始または給水停止の給水制御を行う。
【０１１８】
例えば、外気温度が２５℃になったときに、図３に上水ｏｒ中水ｏｒ弁水ゲート電磁弁と表示されている電磁弁及び、図３にバルブと表示されているバルブに対して開動作制御を行って、散水管４、散水ノズル５（図４（ｂ））を介して散水冷却マット１３に水を吹き付け、図３、図４（ｂ）の上側から下側に向かって上下方向に散水冷却マット１３を介して水分が流下するようにする。
【０１１９】
また、例えば、外気温度が２０℃になったときに、図３に上水ｏｒ中水ｏｒ弁水ゲート電磁弁と表示されている電磁弁及び、図３にバルブと表示されているバルブに対して閉動作制御を行って、散水管４、散水ノズル５（図４（ｂ））を介しての散水冷却マット１３への水の吹き付けを停止する。
【０１２０】
どのような外気温度の時に上述した開動作制御、閉動作制御を行うようにするかは、上述した外気温度２０℃〜２５℃の範囲に限定されず、最も好ましい冷却効率となるように、冷凍サイクル装置の種類・属性、使用されている場所、春・夏・秋・冬といった季節などに応じて種々に設定することができる。
【０１２１】
また、あらかじめ設定されている稼働効率値、外気温度値になったときに、上述した開動作制御、閉動作制御を行うだけでなく、あらかじめ設定されている稼働効率値、外気温度値の上限と下限との間に複数段階の値を定めておいて、給水量を減少させる、あるいは給水量を増加させるように、上述した電磁弁、バルブの微妙な開閉動作制御を行うようにすることもできる。
【０１２２】
給水制御手段２３は、室外機の外部に設置されているデジタル外気温度センサー１９からデジタル情報で取得した外気温が所定の外気温度値になったときに、上述したバルブを閉じ、また、図３に図示されている排水用電磁弁を開いて、排水を行わせることで、凍結を防止する制御を行う設定にすることもできる。
【０１２３】
送風制御手段２４は、算定された冷凍サイクル装置の稼働係数が所定の稼働係数値になったときに送風ファン１２を稼働させて空気吸入部に向かう方向の空気流を生じさせる又は送風ファン１２の稼働を停止させて空気吸入部に向かう方向の空気流を停止させる処理、制御を行う。
【０１２４】
例えば、稼働係数が４０％になったときに、送風ファン１２を稼働させて空気吸入部に向かう方向の空気流を生じさせる。
【０１２５】
また、例えば、稼働係数が３０％になったときに、送風ファン１２の稼働を停止させて空気吸入部に向かう方向の空気流を停止させる。
【０１２６】
どのような稼働係数の時に上述した送風ファン１２を稼働させる処理、稼働している送風ファン１２を停止させるようにするかは、上述した稼働係数３０％〜４０％の範囲に限定されず、最も好ましい冷却効率となるように、冷凍サイクル装置の種類・属性、使用されている場所、春・夏・秋・冬といった季節などに応じて種々に設定することができる。
【０１２７】
また、送風制御手段２４は、室外機の外部に設置されているデジタル外気温度センサー１９からデジタル情報で取得した外気温が所定の外気温度値になったときに送風ファン１２を稼働させて空気吸入部に向かう方向の空気流を生じさせる又は送風ファン１２の稼働を停止させて空気吸入部に向かう方向の空気流を停止させる処理、制御を行う。
【０１２８】
例えば、外気温度が２５℃になったときに、送風ファン１２を稼働させて空気吸入部に向かう方向の空気流を生じさせる。
【０１２９】
また、例えば、外気温度が２０℃になったときに、送風ファン１２の稼働を停止させて空気吸入部に向かう方向の空気流を停止させる。
【０１３０】
どのような外気温度の時に上述した送風ファン１２の稼働、稼働している送風ファン１２の停止を行うようにするかは、上述した外気温度２０℃〜２５℃の範囲に限定されず、最も好ましい冷却効率となるように、冷凍サイクル装置の種類・属性、使用されている場所、春・夏・秋・冬といった季節などに応じて種々に設定することができる。
【０１３１】
また、あらかじめ設定されている稼働効率値、外気温度値になったときに、上述した送風ファン１２の稼働、稼働している送風ファン１２の停止を行うだけでなく、あらかじめ設定されている稼働効率値、外気温度値の上限と下限との間に複数段階の値を定めておいて、送風ファン１２の稼働によって生じる空気流の風速を、例えば、２．０ｍ／ｓｅｃ〜６．０ｍ／ｓｅｃ程度の範囲で、弱めたり、強めたりする微妙な風速調整制御を行うようにすることもできる。
【０１３２】
給水制御手段２３が給水を開始するときの上述したあらかじめ設定されている稼働係数値と、送風制御手段２４が送風ファン１２を稼働させるときの上述したあらかじめ設定されている稼働係数値とは同一の値にすることができる。あるいは、両者を異ならせ、送風制御手段２４が送風ファン１２を稼働させるときの上述したあらかじめ設定されている稼働係数値の方が、給水制御手段２３が給水を開始するときの上述したあらかじめ設定されている稼働係数値より大きくなるようにすることもできる。
【０１３３】
給水制御手段２３が給水を停止するときの上述したあらかじめ設定されている稼働係数値と、送風制御手段２４が送風ファン１２の稼働を停止させるときの上述したあらかじめ設定されている稼働係数値とは同一の値にすることができる。あるいは、両者を異ならせ、送風制御手段２４が送風ファン１２を稼働させるときの上述したあらかじめ設定されている稼働係数値の方が、給水制御手段２３が給水を開始するときの上述したあらかじめ設定されている稼働係数値より大きくなるようにすることもできる。
【０１３４】
給水制御手段２３が給水を開始するときの上述したあらかじめ設定されている外気温度値と、送風制御手段２４が送風ファン１２を稼働させるときの上述したあらかじめ設定されている外気温度値とは同一の値にすることができる。あるいは、両者を異ならせ、送風制御手段２４が送風ファン１２を稼働させるときの上述したあらかじめ設定されている外気温度値の方が、給水制御手段２３が給水を開始するときの上述したあらかじめ設定されている外気温度値より高くなるようにすることもできる。
【０１３５】
給水制御手段２３が給水を停止するときの上述したあらかじめ設定されている外気温度値と、送風制御手段２４が送風ファン１２の稼働を停止させるときの上述したあらかじめ設定されている外気温度値とは同一の値にすることができる。あるいは、両者を異ならせ、送風制御手段２４が送風ファン１２を稼働させるときの上述したあらかじめ設定されている外気温度値の方が、給水制御手段２３が給水を開始するときの上述したあらかじめ設定されている外気温度値より高くなるようにすることもできる。
【０１３６】
マット交換通知情報出力手段２５は、送風ファン１２が稼働している間にデジタル風速計１５から取得した風速が所定の風速値になったときに、送風ファン１２が稼働している室外機が接続されている冷凍サイクル装置を管理している管理者が使用している管理者端末３１及び、送風ファン１２が稼働している室外機が接続されている冷凍サイクル装置の管理を担当している担当者が所有している担当者端末３２に対して、有線又は無線のネットワーク３０を介して、前記室外機を特定する情報と共に、前記散水冷却マット１３の交換を促す交換通知情報を出力する。
【０１３７】
これは、例えば、上述した送風制御手段２４による制御により稼働している送風ファン１２によって室外機の空気吸入部に向かう空気流の風速が所定の風速に設定されて送風制御されているにもかかわらず、デジタル風速計１５が検知した風速が当該設定風速よりも所定の許容範囲を超えて低い風速である、等、設定されている以上にデジタル風速計１５が検知する風速が低下している場合には、散水冷却マット１３に水道水のシリカなどが付着して目詰まり状態が生じ、空気流が通過しにくくなっていると判断して、管理者、担当者に対して散水冷却マット１３の交換を行うように促すものである。
【０１３８】
これによって、ゴミや、水道水のシリカなどが散水冷却マット１３に付着することで、送風ファン１２によって生起された空気流が散水冷却マット１３を通過しにくくなり、冷却効果が低減されることを未然に防止できる。
【０１３９】
デジタルクーリング装置１１における散水冷却マット１３の取り付け、取り外しは、例えば、上述したような板状体である散水冷却マット１３を、デジタルクーリング装置１１におけるマット取り付け部にスライド移動による挿脱動作でワンタッチにて取り付け、取り外しできるようにすることが可能である。
【０１４０】
デジタルクーリング制御装置２１の給水制御手段２３や、送風制御手段２４は、デジタルクーリング装置１１の吹き出し温度センサー１６からデジタル情報で取得した、圧縮機（凝縮機）から吹き出される冷媒の温度に応じて、散水冷却マット１３に対する給水量を制御する構成や、送風ファン１２の稼働によって生起されている空気流の風速の強弱を制御する構成にすることもできる。
【０１４１】
吹き出し温度センサー１６で検知される、圧縮機（凝縮機）から吹き出される冷媒の温度は、圧縮機ファン（凝縮機ファン）の温度に相当するものであり、圧縮機ファン（凝縮機ファン）の温度を考慮して、給水制御や、送風制御を行えるようにするものである。
【０１４２】
すなわち、圧縮機（凝縮機）から吹き出される冷媒の温度が、給水制御手段２３、送風制御手段２４での制御によって目標としていた冷媒温度よりも高い場合には、給水量を増加する、目標としていた冷媒温度よりも低い場合には、給水量を減少させる、といった制御である。
【０１４３】
また、圧縮機（凝縮機）から吹き出される冷媒の温度が、給水制御手段２３、送風制御手段２４での制御によって目標としていた冷媒温度よりも高い場合には、送風ファン１２の稼働によって生起されている空気流の風速が大きくなるようにする、目標としていた冷媒温度よりも低い場合には、送風ファン１２の稼働によって生起されている空気流の風速が小さくなるようにする、といった制御である。
【０１４４】
更に、圧縮機ファン（凝縮機ファン）の温度に相当する圧縮機（凝縮機）から吹き出される冷媒の温度についてあらかじめ設定されている温度値になったときに、上述した給水制御手段２３による給水制御、送風制御手段２４による送風制御を行うだけでなく、あらかじめ設定されている温度値を複数段階で設定しておき、各設定段階の温度値に応じて、給水量の増減、送風風速の強弱を制御する、等の微妙な給水制御、送風制御を行うようにすることもできる。
【０１４５】
上述したように、デジタル湿度計２０は、送風ファン１２から送られてきた空気流が水が流下している散水冷却マット１３内を通過して室外機の空気吸入部方向に向かっていく際の空気流における相対湿度を計測している。
【０１４６】
そこで、デジタルクーリング制御装置２１の給水制御手段２３や、送風制御手段２４は、デジタル湿度計２０からデジタル情報で取得した、室外機の空気吸入部方向に向かう空気流の湿度に応じて、散水冷却マット１３に対する給水量を制御する構成や、送風ファン１２の稼働によって生起されている空気流の風速の強弱を制御する構成にすることもできる。
【０１４７】
上述したように、送風ファン１２が稼働することで、室外機における圧縮機（凝縮機）の作用によって空気吸入部から室外機内に外気が吸い込まれる空気流の風速よりも強い風速で、室外機の空気吸入部内に外気を強制的に送り込むことができ、圧縮機（凝縮機）での熱交換を効率よく行わせることができる。また、送風ファン１２によって引き起こされた空気流が、上側から下側に向かって上下方向に水分が流下している散水冷却マット１３を通り抜けてくることで、外気温度よりも低い温度に冷却された状態で、室外機の空気吸入部内に空気流を送り込むことができる。これによって、圧縮機（凝縮機）での熱交換を効率よく行わせる。
【０１４８】
上述した熱交換の作用・機序を効果的に発揮させる上で、室外機の空気吸入部方向に向かう空気流を構成する空気の湿度は所定の範囲にあることが望ましい。すなわち、上述した熱交換の作用・機序が効果的に発揮される湿度条件で空気流を室外機の空気吸入部内に送り込むことが望ましい。好ましい湿度条件は、例えば、相対湿度７０％〜相対湿度９０％である。相対湿度が９０％を越えて、例えば、相対湿度１００％近い空気流が室外機の空気吸入部に流れ込むと、熱交換器のフィンに水滴となって付着し、水滴に含まれる、例えば、カルシュウム等によって熱交換器のフィンの放熱効果を低下させるおそれがある。このような事態が発生することを未然に防止し、また、散水冷却マット１３を通り抜けてくることで外気温度よりも低い温度になっていて、なおかつ、より低い相対湿度の状態にある空気流が、室外機の空気吸入部に流れ込むことによる効果的な上述した熱交換を実現するものである。
【０１４９】
デジタル湿度計２０で計測している、送風ファン１２から送られてきた空気流が散水冷却マット１３内を通過して室外機の空気吸入部方向に向かっていく際の空気流における相対湿度が、例えば、相対湿度７０％〜相対湿度９０％の範囲から外れることがないように、給水制御や、送風制御を行うものである。
【０１５０】
例えば、デジタル湿度計２０で計測している相対湿度が７０％未満である場合には給水制御手段２３の制御によって給水量を増加させ、相対湿度９０％を越えた場合には給水制御手段２３の制御によって給水量を減少させるといった制御である。
【０１５１】
また、デジタル湿度計２０で計測している相対湿度が７０％未満である場合には、送風制御手段２４での制御によって送風ファン１２の稼働によって生起されている空気流の風速が大きくなるようにし、相対湿度９０％を越える場合には、送風ファン１２の稼働によって生起されている空気流の風速が小さくなるようにする、といった制御である。
【０１５２】
更に、例えば、デジタル湿度計２０で計測される相対湿度７０％〜９０％の間で複数段階の湿度範囲を設定しておき、各湿度範囲段階に応じて、給水量の増減、送風風速の強弱を制御する、等の微妙な給水制御、送風制御を行うようにすることもできる。
【０１５３】
また、室外機の外部に設置されているデジタル外気温度センサー１９からデジタル情報で取得した外気温の温度範囲と関連付けて上述した湿度範囲を設定しておき、上述した熱交換の作用・機序が効果的に発揮されるように、検知した外気温度範囲及び、検知した空気流の湿度範囲を考慮した、給水制御手段２３、送風制御手段２４による、給水量の増減制御、送風風速の強弱制御が行われるようにすることもできる。
【０１５４】
デジタルクーリング制御装置２１の給水制御手段２３や、送風制御手段２４は、デジタルクーリング装置１１の雨センサー１８からデジタル情報で取得した、室外機の外側における降雨状態に応じて、散水冷却マット１３に対する給水量を制御する構成や、送風ファン１２の稼働によって生起されている空気流の風速の強弱を制御する構成にすることもできる。
【０１５５】
例えば、室外機の外側が降雨状態になったならば、給水制御手段２３の指示、制御によって給水量を少なくし、更には、停止させる、送風制御手段２４の指示、制御によって送風ファン１２の稼働によって生起されている空気流の風速が小さくなるように、更には、送風ファン１２の稼働を停止させる、といった制御である。この場合、給水制御手段２３の指示、制御によって給水量を少なくし、更には、停止させる一方で、送風制御手段２４の指示、制御に関しては、デジタル外気温度センサー１９からデジタル情報で取得する外気温度が降雨条件の場合における所定の外気温度値になったときに送風ファン１２の稼働によって生起されている空気流の風速が小さくなるように、更には、送風ファン１２の稼働を停止させる制御を行うようにすることができる。また、送風制御手段２４の指示、制御に関しては、吹き出し温度センサー１６で検知される、圧縮機（凝縮機）から吹き出される圧縮機ファン（凝縮機ファン）の温度が、降雨条件の場合における所定の圧縮機ファン（凝縮機ファン）の温度値になったときに送風ファン１２の稼働によって生起されている空気流の風速が小さくなるように、更には、送風ファン１２の稼働を停止させる制御を行うようにすることもできる。
【０１５６】
稼働係数通知情報出力手段２６は、冷凍サイクル装置稼働係数算定手段２２が算定した冷凍サイクル装置の稼働係数を、当該稼働係数が算定された冷凍サイクル装置を管理している管理者が使用している管理者端末３１及び、当該稼働係数が算定された冷凍サイクル装置の管理を担当している担当者が所有している担当者端末３２に対して、有線又は無線のネットワーク３０を介して、前記冷凍サイクル装置を特定する情報と共に、前記算定された稼働係数についての情報である、稼働係数通知情報を出力する。
【０１５７】
これは、管理者端末３１、担当者端末３２からネットワーク３０を介してデジタルクーリング制御装置２１が、情報取得要求を受けた際に、当該情報取得要求で特定された冷凍サイクル装置についての上述した稼働係数を通知する形態にすることもできる。また、あらかじめ設定されている時間間隔ごとに、デジタルクーリング制御装置２１の記憶部に格納されている情報に基づいて、ネットワーク３０を介して、管理者端末３１、担当者端末３２へ、上述した稼働係数が通知される形態にすることもできる。運転管理情報を管理者、担当者へ提供するものである。
【０１５８】
給水量情報出力手段２７は、給水量検知センサー１７からデジタル情報で取得した給水量情報を、給水が行われている散水冷却マット１３が配備されている室外機が接続されている冷凍サイクル装置を管理している管理者が使用している管理者端末３１及び、給水が行われている散水冷却マット１３が配備されている室外機が接続されている冷凍サイクル装置の管理を担当している担当者が所有している担当者端末３２に対して、有線又は無線のネットワーク３０を介して、前記冷凍サイクル装置を特定する情報と共に、前記給水量情報を出力する。
【０１５９】
これは、管理者端末３１、担当者端末３２からネットワーク３０を介してデジタルクーリング制御装置２１が、情報取得要求を受けた際に、当該情報取得要求で特定された冷凍サイクル装置についての上述した給水量情報を通知する形態にすることもできる。また、あらかじめ設定されている時間間隔ごとに、デジタルクーリング制御装置２１の記憶部に格納されている情報に基づいて、ネットワーク３０を介して、管理者端末３１、担当者端末３２へ、上述した給水量情報が通知される形態にすることもできる。運転管理情報を管理者、担当者へ提供するものである。
【０１６０】
デジタルクーリング制御装置２１の給水制御手段２３、送風制御手段２３、マット交換通知情報出力手段２５、稼働係数通知情報出力手段２６、給水量情報出力手段２７などが行う上述した各処理、各制御動作は、デジタルクーリング制御装置２１の記憶部に格納されているコンピュータプログラムに従って実行される。
【０１６１】
図１は、本発明のデジタル・クーリングコントロール・システムの概略構成の一例を説明するブロック図である。
【０１６２】
空気調和装置、冷凍装置、冷蔵装置、冷凍庫、冷蔵庫、自動販売機などの冷凍サイクル装置に接続されている、圧縮機を備えている複数台の室外機１〜室外機８のそれぞれに対して、上述したデジタルクーリング装置１１がそれぞれ配備されている。
【０１６３】
この複数台のデジタルクーリング装置１１のそれぞれが有線又は無線のネットワークを介して、デジタルクーリング制御装置１２と情報交信可能に接続されている。
【０１６４】
ここで、上述したデジタルクーリング制御装置１２によって実行される上述した機能、制御は、有線又は無線のネットワークを介して相互に情報交信可能に接続されている複数台のコンピュータ、サーバコンピュータによって分散実行されるようにすることもできる。この場合のサーバコンピュータの中には、クラウド上に設置されているサーバコンピュータが含まれている構成にすることもできる。
【０１６５】
以上、添付図面を参照して本発明の実施形態を説明したが、本発明は上述の実施形態に限られることなく特許請求の範囲の記載から把握される技術的範囲において種々に変更可能である。
【要約】空気調和装置、冷凍装置、冷蔵装置、冷凍庫、冷蔵庫、自動販売機などの冷凍サイクル装置、特に、圧縮機を備えている室外機を構成要素に含む冷凍サイクル装置の運転において大幅な省エネ効果を発揮できるシステムを提案する。デジタルクーリング装置とデジタルクーリング制御装置とから構成されている。前記デジタルクーリング装置は、送風ファンと、散水冷却マットと、風向調整パネルと、デジタル風速計とを備えている。散水冷却マット、風向調整パネル、デジタル風速計は、送風ファンと空気吸入部との間で、送風ファンの位置から空気吸入部の位置に向けて散水冷却マット、風向調整パネル、デジタル風速計の順で、あるいは風向調整パネル、散水冷却マット、デジタル風速計の順で配備されている。デジタルクーリング制御装置は、冷凍サイクル装置の稼働係数を算定する冷凍サイクル装置稼働係数算定手段と、算定された稼働係数が所定の稼働係数値になったとき又は室外機の外部に設置されているデジタル外気温度センサーから外気温が所定の外気温度値になったときに散水冷却マットに対する給水開始または給水停止の給水制御を行う給水制御手段と、送風ファンを稼働させて空気吸入部に向かう方向の空気流を生じさせる又は送風ファンの稼働を停止させて空気吸入部に向かう方向の空気流を停止させる送風制御を行う送風制御手段を備えている。【図１】
0006778975.tif 000004
【図２】
0006778975.tif 000005
【図３】
0006778975.tif 000006
【図４】
0006778975.tif 000007
【図５】
0006778975.tif 000008
【図６】
0006778975.tif 000009
【図７】
0006778975.tif 000010
【図８】
0006778975.tif 000011
【図９】
0006778975.tif 000012
【図１０】
0006778975.tif 000013
【図１１】
0006778975.tif 000014
【図１２】
0006778975.tif 000015